(57)【要約】【課題】少ない操作手順で消費電力を抑えたスリープモードに遷移させる。【解決手段】カムコーダは、本体部と、この本体部に収納可能に取り付けられている表示筐体とからなっている。本体部には、電源釦が配置されている。表示筐体が本体部に正転収納状態で収納された電源オフ状態で、ユーザにより電源釦が操作されて電源オン操作がされるとき、カムコーダは、スリープモードとなる（ST1,ST4,ST5）。このスリープモードで、本体部から表示筐体が取り出されるとき（パネル開）、スリープモードから電源オン状態に遷移し、撮影可能な状態（スタンバイ状態）となる（ST7,ST8,ST10）。スリープモードは、例えば、撮像部への電源供給を断ち、消費電力を抑制するモードである。スリープモードに遷移する過程で、撮像部の初期化を行って、その設定値を保持しておくことで、スリープモードから電源オン状態となって撮影可能な状態となるまでの時間を短縮できる。【選択図】図４
2009194673.tif 000002
【特許請求の範囲】
【請求項１】
被写体を撮像する撮像部と、
上記撮像部で得られた映像信号を処理する映像信号処理部と、
上記撮像部で得られた映像信号による画像を表示する表示部と、
電源部と、
ユーザが電源のオンオフを操作する電源操作部と、
上記撮像部、上記映像信号処理部、上記表示部および上記電源部の動作を制御する制御部とを有し、
上記撮像部、上記映像信号処理部、上記制御部、上記電源部および上記電源操作部は本体部に設けられ、上記表示部は、上記本体部に収納可能に取り付けられた表示筐体に設けられている撮像装置であって、
上記制御部は、上記電源操作部により電源オンの操作が行われるとき、上記表示筐体の状態に応じて、上記制御部を除く回路部のうち少なくとも一部の回路部に上記電源部から電源が供給されないスリープモードに遷移させる
ことを特徴とする撮像装置。
【請求項２】
上記制御部は、上記電源操作部により電源オンの操作が行われるとき、上記表示筐体が上記本体部に収納されている場合には、上記スリープモードに遷移させる
ことを特徴とする請求項１に記載の撮像装置。
【請求項３】
上記表示筐体は、上記本体部に、上記表示部の表示面が内側に向いた正転収納状態および上記表示部の表示面が外側に向いた反転収納状態のいずれでも収納可能とされ、
上記制御部は、上記電源操作部により電源オンの操作が行われるとき、上記表示筐体が上記本体部に上記正転収納状態で収納されている場合には、上記スリープモードに遷移させる
ことを特徴とする請求項２に記載の撮像装置。
【請求項４】
上記スリープモードにおいて、上記電源部から電源が供給されない上記一部の回路部に、少なくとも上記撮像部が含まれている
ことを特徴とする請求項１に記載の撮像装置。
【請求項５】
上記制御部は、上記スリープモードに遷移する過程で、上記撮像部に電源を供給して初期化を行って設定値を保持し、その後に、上記撮像部への電源の供給を遮断する
ことを特徴とする請求項４に記載の撮像装置。
【請求項６】
上記本体部または上記表示筐体に、上記スリープモードに遷移したことを表示する表示素子が取り付けられている
ことを特徴とする請求項１に記載の撮像装置。
【請求項７】
上記表示素子は、電源のオンオフを表示する表示素子と兼用されている
ことを特徴とする請求項６に記載の撮像装置。
【請求項８】
上記電源操作部により電源オン操作が行われるとき、少なくとも上記表示筐体の状態に応じて上記スリープモードに遷移させるか、あるいは電源オン状態に遷移させるかをユーザが選択するためのユーザ選択部を備える
ことを特徴とする請求項１に記載の撮像装置。
【請求項９】
被写体を撮像する撮像部と、
上記撮像部で得られた映像信号を処理する映像信号処理部と、
上記撮像部で得られた映像信号による画像を表示する表示部と、
電源部と、
ユーザが電源のオンオフを操作する電源操作部と、
上記撮像部、上記映像信号処理部、上記表示部および上記電源部の動作を制御する制御部とを有し、
上記撮像部、上記映像信号処理部、上記制御部、上記電源部および上記電源操作部は本体部に設けられ、上記表示部は、上記本体部に収納可能に取り付けられた表示筐体に設けられている撮像装置の制御方法であって、
上記電源操作部により電源オンの操作が行われるとき、上記表示筐体の状態に応じて、上記制御部を除く回路部のうち少なくとも一部の回路部に上記電源部から電源が供給されないスリープモードに遷移させる
ことを特徴とする撮像装置の制御方法。
【発明の詳細な説明】
【技術分野】
【０００１】
この発明は、例えば、ビデオカメラレコーダ、デジタルカメラ等に適用して好適な撮像装置およびその制御方法に関する。詳しくは、この発明は、本体部に表示筐体が収納可能に取り付けられた撮像装置にあって、電源オンの操作が行われるとき、表示筐体の状態に応じて、制御部を除く回路部のうち少なくとも一部の回路部に電源が供給されないスリープモードに遷移させることにより、ユーザが少ない操作手順で消費電力を抑えたスリープモードに遷移させることを可能にした撮像装置およびその制御方法に係るものである。
【背景技術】
【０００２】
従来、カムコーダ（ビデオカメラレコーダ）として、表示パネルを持つ表示筐体が本体部に収納可能に取り付けられているものが提案されている（例えば、特許文献１参照）。
【０００３】
このようなカムコーダにおいて、ユーザが撮影を開始する際に、例えば、本体部にある電源キーを操作して電源オン状態とし、表示パネルを開く、つまり表示筐体を収納部から取り出して撮影に適した角度に調整し、その後に撮影を開始する、という手順を要するものがある。この場合、ユーザが操作する手間が多く、また、制御部や撮像部等の初期化処理のために撮影可能状態になるまでの時間がかかり、撮影の機会を多く損失していた。
【０００４】
また、上述のカムコーダにおいて、ユーザが撮影を開始する際に、表示パネルを開くことで自動的に電源オン状態となるものもあるが、それでも制御部や撮像部等の初期化処理のために撮影可能状態になるまでの時間がかかり、撮影の機会損失を防ぐまでには至っていない。
【０００５】
そこで、従来、カムコーダとして、電源オン状態から表示パネルを閉じると、スリープモード（省電力モード）に遷移するものが考えられている。ここで、スリープモードとは、制御部を除く回路部のうち少なくとも一部の回路部に電源が供給されないモードである。このように、スリープモードにしておくことで、消費電力を抑えながら、表示パネルを開いたとき、比較的早く撮影可能状態とすることができる。
【特許文献１】特開２００５−１３０５３０号公報
【発明の開示】
【発明が解決しようとする課題】
【０００６】
上述したように、従来のカムコーダにおいては、スリープモードに遷移させるためには、表示パネルを開いて電源オン状態とし、その状態から表示パネルを閉じることが必要であり、ユーザの操作手順が多く不便であった。
【０００７】
この発明の目的は、ユーザが、少ない操作手順で、スリープモードに遷移させることを可能とすることにある。
【課題を解決するための手段】
【０００８】
この発明の概念は、
被写体を撮像する撮像部と、
上記撮像部で得られた映像信号を処理する映像信号処理部と、
上記撮像部で得られた映像信号による画像を表示する表示部と、
電源部と、
ユーザが電源のオンオフを操作する電源操作部と、
上記撮像部、上記映像信号処理部、上記表示部および上記電源部の動作を制御する制御部とを有し、
上記撮像部、上記映像信号処理部、上記制御部、上記電源部および上記電源操作部は本体部に設けられ、上記表示部は上記本体部に収納可能に取り付けられた表示筐体に設けられている撮像装置であって、
上記制御部は、上記電源操作部により電源オンの操作が行われるとき、上記表示筐体の状態に応じて、上記制御部を除く回路部のうち少なくとも一部の回路部に上記電源部から電源が供給されないスリープモードに遷移させる
ことを特徴とする撮像装置にある。
【０００９】
この発明において、本体部に、表示筐体が収納可能に取り付けられている。本体部には、撮像部、映像信号処理部、制御部、電源部および電源操作部が設けられている。表示筐体には、表示部（表示パネル）が設けられている。電源操作部により電源オンの操作が行われるとき、表示筐体の状態に応じて、スリープモードとされる。ここで、スリープモードとは、制御部を除く回路部のうち少なくとも一部の回路部に電源部から電源が供給されないモードである。
【００１０】
例えば、電源操作部により電源オンの操作が行われるとき、表示筐体が本体部に収納されていれば、スリープモードとされる。例えば、表示筐体が本体部に正転収納状態（対向収納状態）および反転収納状態のいずれでも収納可能とされている場合、電源操作部により電源オンの操作が行われるとき、表示筐体が本体部に正転収納状態で収納されていれば、スリープモードとされる。ここで、正転収納状態とは表示部の表示面が内側に向いた収納状態を意味し、反転収納状態とは表示部の表示面が外側に向いた収納状態を意味する。
【００１１】
例えば、スリープモードにおいて、上述したように、電源部から電源が供給されない一部の回路部に、少なくとも撮像部が含まれる、ようにされてもよい。この場合、撮像部の電力消費量が多く、当該撮像部に電源が供給されないようにすることで、スリープモードにおける消費電力の低減効果を高めることができる。
【００１２】
例えば、上述のスリープモードに遷移する過程で、撮像部は、電源を供給して初期化を行って設定値を保持し、その後に、撮像部への電源の供給を遮断する、ようにされてもよい。この場合、スリープモードから電源オン状態に遷移し、撮影可能なスタンバイ状態となる際に、撮像部の初期化処理を省略できるために、スタンバイ状態となるまでの時間を短縮可能となる。
【００１３】
このように、この発明では、電源オンの操作が行われるとき、表示筐体の状態に応じて、スリープモードとなるものであり、ユーザは、少ない操作手順で消費電力を抑えたスリープモードに遷移させることができる。
【００１４】
この発明において、例えば、本体部または表示筐体に、スリープモードに遷移したことを表示する表示素子が取り付けられていてもよい。これにより、ユーザは、スリープモードにあることを、容易に認識可能となる。この場合、例えば、スリープモードに遷移したことを示す表示素子が電源のオンオフを表示する表示素子と兼用されていてもよい。例えば、点灯により電源オン状態にあることが表示され、点滅でスリープモードにあることが表示される。このように兼用することで、実装面積の縮小を図ることができる。
【００１５】
また、この発明において、例えば、電源操作部により電源オン操作が行われるとき、少なくとも表示筐体の状態に応じてスリープモードに遷移させるか、あるいは電源オン状態に遷移させるかをユーザが選択するためのユーザ選択部を備える、ようにされてもよい。これにより、ユーザの選択の自由度が増し、使い勝手の向上を図ることができる。
【発明の効果】
【００１６】
この発明によれば、本体部に表示筐体が収納可能に取り付けられた撮像装置にあって、電源オンの操作が行われるとき、表示筐体の状態に応じて、制御部を除く回路部のうち少なくとも一部の回路部に電源が供給されないスリープモードに遷移させるものであり、ユーザは少ない操作手順で消費電力を抑えたスリープモードに遷移させることができる。
【発明を実施するための最良の形態】
【００１７】
以下、図面を参照しながら、この発明の実施の形態について説明する。図１は、実施の形態としてのカムコーダ（ビデオカメラレコーダ）１００の外観構成例を示している。カムコーダ１００は、主に、本体部１１０と、表示筐体１３０とから構成されている。本体部１１０には、撮像レンズ１１１を含む撮像部、この撮像部で得られた映像信号を処理する映像信号処理部、電源部、各回路部を制御する制御部、電源部等が設けられている。表示筐体１３０には、表示部１３１が設けられている。この表示部１３１は、例えば、ＬＣＤ（Liquid Crystal Display）パネルで構成されている。
【００１８】
表示筐体１３０は、本体部１１０に収納可能に取り付けられている。すなわち、表示筐体１３０は、回転接続部１４０により、水平方向および鉛直方向の２方向に回転自在に連結されている。ユーザは、表示部１３１の表示面を、所望の方向に向くように調整して使用できる。また、ユーザは、表示筐体１３０を、本体部１１０に、正転収納状態（対向収納状態）および反転収納状態のいずれでも収納できる。なお、正転収納状態とは表示部１３１の表示面が内側に向いた収納状態であり、反転収納状態とは表示部１３１の表示面が外側に向いた収納状態である。
【００１９】
本体部１１０および表示筐体１３０の筐体面には、ユーザが種々の操作を行うための操作釦等が配置されたユーザ操作部１０２，１３２が形成されている。本体部１１０のユーザ操作部１０２には、ユーザが記録（録画）をスタートし、またその記録をストップするためのスタート／ストップ釦１０２ａと、ユーザが電源のオンオフ操作を行うための電源釦１０２ｂが含まれている。電源釦１０２ｂは電源操作部を構成している。
【００２０】
また、本体部１１０の筐体面には、表示素子群１１７が取り付けられている。この表示素子群１１７には、電源のオンオフを表示するＬＥＤ１１７ａ，１１７ｂと、スリープモードに遷移したことを表示するＬＥＤ１１７ｃとが含まれている。ＬＥＤ１１７ａは、動画モードで電源オン状態にあるとき点灯する。ＬＥＤ１１７ｂは、静止画モードで電源オン状態にあるとき点灯する。ＬＥＤ１１７ｃは、スリープモードに遷移しているとき点滅する。ここで、スリープモードとは、制御部を除く回路部のうち少なくとも一部の回路部に、電源回路から電源が供給されない、消費電力を抑えたモードである。この実施の形態において、上述の一部の回路部は、電力消費の多い撮像部とされる。
【００２１】
図２は、カムコーダ１００の回路構成例を示している。このカムコーダ１００は、制御部１０１と、ユーザ操作部１０２，１３２と、電源回路１０３と、バッテリ１０４と、ＡＣ電源プラグ１０５と、電源スイッチ１０６，１０７と、撮像レンズ１１１と、撮像素子１１２と、撮像信号処理回路１１３と、記録・再生部１１４と、表示制御部１１５と、表示筐体回動検知部１１６と、表示素子群１１７と、表示部１３１が設けられた表示筐体１３０とを有している。撮像レンズ１１１、撮像素子１１２および撮像信号処理回路１１３は、撮像部１０９を構成している。記録・再生部１１４、表示制御部１１５は、映像信号処理部を構成している。
【００２２】
制御部１０１は、カムコーダ１００の各部の動作を制御する。ユーザ操作部１０２，１３２は制御部１０１に接続されている。ユーザ操作部１０２，１３２は、上述したように、カムコーダ１００の本体部１１０および表示筐体１３０の筐体面に配置された操作釦等である。制御部１０１は、電源回路１０３を介して、バッテリ１０４または商用電源に接続されたＡＣ電源プラグ１０５から電源の供給を受ける。制御部１０１は、ユーザがユーザ操作部１０２の電源オン釦１０２ｂにより電源オン操作を行うとき、表示筐体１３０の状態に応じて、スリープモードまたは電源オン状態に遷移させる。
【００２３】
この実施の形態においては、制御部１０１は、表示筐体１３０が本体部１１０に正転収納状態で収納されている状態で電源オン操作が行われるときはスリープモードに遷移させ、表示筐体１３０がその他の状態にあって電源オン操作が行われるときは電源オン状態に遷移させる。スリープモードにおいては、電源スイッチ１０６は接続状態とされ、電源スイッチ１０７は非接続状態とされる。一方、電源オン状態では、電源スイッチ１０６，１０７は共に接続状態とされる。
【００２４】
なお、制御部１０１は、スリープモードに遷移させる過程で、撮像部１０９に電源を供給して初期化を行って設定値を保持し、その後に、当該撮像部１０９への電源の供給を遮断する。この場合、撮像部の初期化が既に終了しているので、スリープモードから電源オン状態となって撮影可能状態になるまでの時間短縮を図ることが可能となる。
【００２５】
撮像素子１１２は、例えば、ＣＣＤ(ChargeCoupled Device)イメージセンサ、ＣＭＯＳ(Complementary Metal OxideSemiconductor）イメージセンサ等で構成される。撮像素子１１２は、撮像レンズ１１１により撮像面に被写体の光学像が結像された状態で撮像処理を行って、撮像信号を出力する。撮像信号処理回路１１３は、撮像素子１１２から出力される撮像信号（アナログ信号）に対し、サンプルホールドおよび利得制御、アナログ信号からデジタル信号への変換、さらにホワイトバランス調整、ガンマ補正等を行って、映像信号（撮像画像データ）を生成する。
【００２６】
記録・再生部１１４は、電源オン状態にあるとき、ユーザによる記録（録画）開始指示に従って待機モードから記録モードに移行し、その後に、撮像信号処理回路１１３で得られた映像信号に対して例えばＭＰＥＧ(Moving Picture Experts Group)方式でエンコード処理を行って圧縮符号化された記録データを生成し、この記録データを図示しない記録媒体に記録する。また、記録・再生部１１４は、記録媒体から記録データを再生して、デコード処理を行って映像信号を生成する。
【００２７】
表示制御部１１５は、記録時には、撮像部１０９で得られた映像信号に基づいて表示筐体１３０の表示部１３１を駆動し、当該表示部１３１に撮像部１０９で得られた映像信号による画像を表示する。また、表示制御部１１５は、再生時には、記録・再生部１１４で再生された映像信号に基づいて表示筐体１３０の表示部１３１を駆動し、当該表示部１３１に撮像部１０９で得られた映像信号による画像を表示する。
【００２８】
表示筐体回動検知部１１６は、表示筐体１３０の回動を検出する。この表示筐体回動検知部１１６の検出信号を、制御部１０１に供給する。これにより、制御部１０１は、表示筐体１３０が本体部１１０に収納されているとき、その収納状態が、正転収納状態にあるか、反転収納状態にあるかを、知ることができる。
【００２９】
また、制御部１０１は、表示素子群１１７の各ＬＥＤの発光制御を行う。すなわち、制御部１０１は、動画モードで電源オン状態にあるときは、ＬＥＤ１１７ａを点灯させる。また、制御部１０１は、静止画モードで電源オフ状態にあるときは、ＬＥＤ１１７ｂを点灯させる。また、スリープモードにあるときは、ＬＥＤ１１７ｃを点滅させる。
【００３０】
次に、図２に示すカムコーダ１００の動作を簡単に説明する。
【００３１】
表示筐体１３０が本体部１１０に正転収納状態で収納されている状態で、ユーザがユーザ操作部１０２の電源釦１０２ｂを押して電源オン操作を行った場合には、制御部１０１の制御のもと、カムコーダ１００は、スリープモードとなる。この場合、電源スイッチ１０６は接続状態とされ、撮像部１０９を除くその他の回路部に電源回路１０３から電源が供給される状態となると共に、電源スイッチ１０７は非接続状態とされ、撮像部１０９に電源回路１０３から電源が供給されない状態となり、省電力状態となる。
【００３２】
ただし、このスリープモードに遷移する過程で、最初電源スイッチ１０７は接続状態とされ、撮像部１０９に電源回路１０３から電源が供給される状態となる。そして、この状態で制御部１０１からの指令により撮像部１０９の初期化処理が行われ、その設定値が制御部１０１に保持される。そして、その後に、電源スイッチ１０７は非接続状態とされ、カムコーダ１００は、スリープモードに入る。また、このスリープモードに遷移する過程で、制御部１０１自体の初期化処理も行われる。
【００３３】
このスリープモードでは、制御部１０１の制御のもと、表示素子群１１７のＬＥＤ１１７ｃは点滅する。このようにＬＥＤ１１７ｃが点滅することで、ユーザはスリープモードにあることを容易に認識できる。
【００３４】
このスリープモードにあって、ユーザにより本体部１１０から表示筐体１３０が取り出されたとき（表示パネルが開かれたとき）、制御部１０１の制御のもと、カムコーダ１００は、電源オン状態となる。この場合、電源スイッチ１０７が接続状態とされ、撮像部１０９に電源回路１０３から電源が供給される状態となり、上記したように制御部１０１および撮像部１０９の初期化処理は既に終了しているので、カムコーダ１００は、即座に、撮影可能なスタンバイ状態（ＳＴＢＹ状態）となる。
【００３５】
この電源オン状態では、制御部１０１の制御のもと、表示素子群１１７のＬＥＤ１１７ａまたはＬＥＤ１１７ｂが点灯する。ここで、動画モードで電源オン状態（スタンバイ状態）にあるときは、ＬＥＤ１１７ａが点灯する。一方、静止画モードで電源オン状態（スタンバイ状態）にあるときは、ＬＥＤ１１７ｂが点灯する。
【００３６】
また、表示筐体１３０が本体部１１０に正転収納状態で収納されている状態から、ユーザにより表示筐体１３０が本体部１１０に反転収納状態で収納されている状態、あるいは表示筐体１３０が本体部１１０から取り出された状態（パネル開の状態）とされるとき、制御部１０１の制御のもと、カムコーダ１００は、電源オン状態となる。この場合、電源スイッチ１０６は接続状態とされ、撮像部１０９を除くその他の回路部に電源回路１０３から電源が供給される状態となると共に、電源スイッチ１０７は接続状態とされ、撮像部１０９に電源回路１０３から電源が供給される状態となる。そして、この場合、制御部１０１の初期化処理、および撮像部１０９の初期化処理が行われた後に、カムコーダ１００は、撮影可能なスタンバイ状態（ＳＴＢＹ状態）となる。
【００３７】
このスタンバイ状態では、カムコーダ１００は、以下のような動作をする。
【００３８】
すなわち、撮像素子１１２で撮像処理が行われて得られた撮像信号は撮像信号処理回路１１３に供給される。この撮像信号処理回路１１３では、撮像素子１１２からの撮像信号に対し、サンプルホールドおよび利得制御、アナログ信号からデジタル信号への変換、さらにホワイトバランス調整、ガンマ補正等が行われて、映像信号（撮像画像データ）が生成される。
【００３９】
このように撮像信号処理回路１１３で生成された映像信号は表示制御部１１５に供給される。そのため、表示筐体１３０に設けられた表示部１３１には、撮像信号処理回路１１３で生成された映像信号による画像が表示される。このように表示部１３１に表示される画像により、ユーザは、撮影内容を確認できる。
【００４０】
上述のスタンバイ状態で、ユーザがユーザ操作部１０２のスタート／ストップ釦１０２ａを押して記録スタート操作を行った場合には、制御部１０１の制御のもと、カムコーダ１００は、記録状態（ＲＥＣ状態）となる。この記録状態では、上述したスタンバイ状態における動作の他に、さらに、以下のような動作をする。すなわち、記録・再生部１１４では、撮像信号処理回路１１３で生成された映像信号（撮像画像データ）に対して、例えばＭＰＥＧ方式でエンコード処理が行われて圧縮符号化された記録データが生成され、この記録データが、ＤＶＤディスク、ＨＤＤ、メモリカード等の記録媒体に記録される。
【００４１】
また、この記録状態で、ユーザがユーザ操作部１０２のスタート／ストップ釦１０２ａを押して記録ストップ操作を行った場合には、制御部１０１の制御のもと、カムコーダ１００は、記録動作を停止し、再びスタンバイ状態に戻る。
【００４２】
また、上述のスタンバイ状態で、ユーザが表示筐体１３０を本体部１１０に正転収納状態で収納した場合には、制御部１０１の制御のもと、カムコーダ１００は、スリープモードとなる。また、上述の記録状態で、ユーザが表示筐体１３０を本体部１１０に正転収納状態で収納した場合にも、制御部１０１の制御のもと、カムコーダ１００は、スリープモードとなる。そして、このスリープモードで、ユーザがユーザ操作部１０２の電源釦１０２ｂを押して電源オフ操作を行った場合には、制御部１０１の制御のもと、カムコーダ１００は、電源オフ状態となる。
【００４３】
また、上述のスタンバイ状態で、ユーザがユーザ操作部１０２の図示しない再生釦を押して再生操作を行った場合には、制御部１０１の制御のもと、カムコーダ１００は、再生状態となる。
【００４４】
この再生状態では、記録・再生部１１４で、記録媒体に記録されているデータが再生され、この再生されたデータに対してデータ伸長の処理が施され、再生映像信号が生成される。そして、この再生映像信号は表示制御部１１５に供給される。したがって、表示筐体１３０に設けられた表示部１３１には、再生映像信号による画像が表示される。
【００４５】
上述の再生状態で、ユーザがユーザ操作部１０２の図示しない再生釦を押して再生停止操作を行った場合には、再生が停止され、制御部１０１の制御のもと、カムコーダ１００は、再びスタンバイ状態となる。
【００４６】
なお、上述の再生状態で、ユーザが表示筐体１３０を本体部１１０に正転収納状態で収納した場合には、制御部１０１の制御のもと、カムコーダ１００は、電源オフ状態となる。
【００４７】
また、表示筐体１３０が本体部１１０に正転収納状態で収納されている状態以外、つまり、表示筐体１３０が本体部１１０に反転収納状態で収納されている状態あるいは表示筐体１３０が本体部１１０から取り出された状態（パネル開の状態）で、電源オフの状態にあるとき、ユーザがユーザ操作部１０２の電源釦１０２ｂを押して電源オン操作を行った場合には、制御部１０１の制御のもと、カムコーダ１００は、電源オン状態となる。この場合、制御部１０１の初期化処理、および撮像部１０９の初期化処理が行われた後に、カムコーダ１００は、撮影可能なスタンバイ状態（ＳＴＢＹ状態）となる。
【００４８】
また、電源オン状態（スタンバイ状態、記録状態、再生状態）で、ユーザがユーザ操作部１０２の電源釦１０２ｂを押して電源オフ操作を行った場合には、制御部１０１の制御のもと、カムコーダ１００は、電源オフ状態となる。
【００４９】
図３は、上述したカムコーダ１００の状態遷移図を示している。
【００５０】
（ａ）表示筐体１３０が本体部１１０に正転収納状態で収納された電源オフ状態で、ユーザにより電源釦１０２ｂが操作されて電源オン操作がされるとき、カムコーダ１００は、スリープモードとなる。
【００５１】
（ｂ）スリープモードで、ユーザにより電源釦１０２ｂが操作されて電源オフ操作がされるとき、カムコーダ１００は、電源オフ状態に戻る。
【００５２】
（ｃ）スリープモードで、ユーザにより表示筐体１３０が本体部１１０に正転収納状態で収納された状態以外とされるとき、つまりパネル開の状態とされるとき、カムコーダ１００は、電源オン状態となり、直ちに、撮影可能なスタンバイ状態（ＳＴＢＹ状態）となる。
【００５３】
（ｄ）表示筐体１３０が本体部１１０に正転収納状態で収納された電源オフ状態で、ユーザにより表示筐体１３０が本体部１１０に正転収納状態で収納された状態以外とされるとき、つまりパネル開の状態とされるとき、カムコーダ１００は、電源オン状態となり、制御部１０１の初期化処理、撮像部１０９の初期化処理を経て、撮影可能なスタンバイ状態（ＳＴＢＹ状態）となる。
【００５４】
（ｅ）スタンバイ状態で、ユーザにより表示筐体１３０が本体部１１０に正転収納状態で収納されるとき、カムコーダ１００は、スリープモードとなる。
【００５５】
（ｆ）スタンバイ状態で、ユーザによりスタート／ストップ釦１０２ａが操作されて記録スタート操作がされるとき、カムコーダ１００は、記録状態（ＲＥＣ状態）となる。一方、記録状態で、ユーザによりスタート／ストップ釦１０２ａが操作されて記録ストップ操作がされるとき、カムコーダ１００は、スタンバイ状態（ＳＴＢＹ状態）に戻る。
【００５６】
（ｇ）記録状態で、ユーザにより表示筐体１３０が本体部１１０に正転収納状態で収納されるとき、カムコーダ１００は、スリープモードとなる
【００５７】
（ｈ）スタンバイ状態で、ユーザにより再生釦が操作されて再生操作がされるとき、カムコーダ１００は、再生状態となる。一方、再生状態で、ユーザにより再生釦が操作されて再生停止操作がされるとき、カムコーダ１００は、スタンバイ状態に戻る。
【００５８】
（ｉ）再生状態で、ユーザにより表示筐体１３０が本体部１１０に正転収納状態で収納されるとき、カムコーダ１００は、電源オフ状態となる。
【００５９】
（ｊ）電源オン状態（スタンバイ状態、記録状態、再生状態）で、ユーザにより電源釦１０２ｂが操作されて電源オフ操作がされるとき、カムコーダ１００は、表示筐体１３０が本体部１１０に正転収納状態で収納された状態以外のまま、つまりパネル開の状態のまま、電源オフ状態となる。
【００６０】
（ｋ）パネル開の状態、かつ電源オフ状態で、ユーザにより電源釦１０２ｂが操作されて電源オン操作がされるとき、カムコーダ１００は、電源オン状態となり、制御部１０１の初期化処理、撮像部１０９の初期化処理を経て、撮影可能なスタンバイ状態（ＳＴＢＹ状態）となる。
【００６１】
（ｍ）パネル開の状態、かつ電源オフ状態で、ユーザにより表示筐体１３０が本体部１１０に正転収納状態で収納されるとき、カムコーダ１００は、電源オフ状態を維持する。
【００６２】
次に、図４のフローチャートを参照して、制御部１０１の状態遷移に関係した制御手順の一例を説明する。この制御手順例は、図３の状態遷移図における(ａ)，（ｃ）〜（ｅ）の状態遷移に対応している。
【００６３】
制御部１０１は、ステップＳＴ１で電源オン操作があるとき、ステップＳＴ２の処理に移る。このステップＳＴ２において、制御部１０１は、自身の初期化処理を行い、ステップＳＴ３において、撮像部以外の電源をオンとし、その後に、ステップＳＴ４の処理に移る。
【００６４】
このステップＳＴ４において、制御部１０１は、表示筐体１３０が正転収納状態にあるか否かを判定する。正転収納状態にあるとき、制御部１０１は、ステップＳＴ５において、スリープモードの状態とする。そして、制御部１０１は、ステップＳＴ６において、ＬＥＤ１１７ｃを点滅させて、スリープモード状態にあることをユーザが確認可能とする。
【００６５】
次に、制御部１０１は、ステップＳＴ７において、表示筐体１３０が正転収納状態にあるか否かを判定する。正転収納状態にあるとき、制御部１０１は、ステップＳＴ５の処理に戻り、スリープモード状態を維持する。一方、正転収納状態にないとき、制御部１０１は、ステップＳＴ８の処理に移る。
【００６６】
また、上述のステップＳＴ４で正転収納状態にないとき、制御部１０１は、直ちにステップＳＴ８の処理に移る。このステップＳＴ８において、制御部１０１は、撮像部１０９の電源をオンとする。そして、制御部１０１は、ステップＳＴ９において、撮像部１０９の初期化処理を行う。
【００６７】
次に、制御部１０１は、ステップＳＴ１０において、撮影可能なスタンバイ状態とする。そして、制御部１０１は、ステップＳＴ１１において、表示筐体１３０が正転収納状態にあるか否かを判定する。正転収納状態にあるとき、制御部１０１は、ステップＳＴ１２において、撮像部の電源をオフとし、ステップＳＴ５の処理に戻り、スリープモードの状態とする。一方、正転収納状態にないとき、ステップＳＴ１０の処理に戻り、撮影可能なスタンバイ状態を維持する。
【００６８】
なお、図４のフローチャートでは、スリープモードに遷移する過程で、撮像部１０９の初期化処理を行っていないが、上述したように処理化処理をスリープモードに遷移する過程で行うことによって、スリープモードから電源オン状態となって撮影可能な状態となる過程で、撮像部の初期化処理（ステップＳＴ９）は不要となり、撮影可能となるまでの時間を短縮することができる。
【００６９】
以上説明したように、図１、図２に示すカムコーダ１００においては、表示筐体１３０が本体部１１０に正転収納状態で収納されている状態で、ユーザにより電源オン操作が行われるとき、スリープモードに遷移するものであり、ユーザは少ない操作手順で、消費電力を抑えた状態とすることができる。
【００７０】
また、図１、図２に示すカムコーダ１００においては、スリープモードでは、電力消費量が多い撮像部１０９に電源が供給されない状態とするので、スリープモードにおける消費電力の低減効果を高めることができる。
【００７１】
また、図１、図２に示すカムコーダ１００においては、スリープモードに遷移する過程で、撮像部１０９の初期化処理が行われて、その設定値が制御部１０１に保持されるものであり、スリープモードから電源オン状態に遷移し、撮像可能なスタンバイ状態となる際に、撮像部１０９の初期化処理を省略できるために、スタンバイ状態となるまでの時間を短縮できる。
【００７２】
また、図１、図２に示すカムコーダ１００においては、本体部１１０に表示素子群１１７の一つとしてスリープモード表示用のＬＥＤ１１７ｃが取り付けられ、スリープモードに遷移したとき当該ＬＥＤ１１７ｃが点滅するように制御されるので、ユーザはスリープモードにあることを容易に認識できる。なお、点滅ではなく、点灯であってもよい。
【００７３】
なお、上述実施の形態においては、表示筐体１３０が本体部１１０に正転収納状態で収納されている状態で、ユーザにより電源オン操作が行われるとき、スリープモードに遷移するものを示したが、表示筐体１３０がその他の状態で、ユーザにより電源オン操作が行われるとき、スリープモードに遷移するようにされてもよい。例えば、正転収納状態であるか反転状態であるかに拘わらず、表示筐体１３０が本体部１１０に収納されている状態で、ユーザにより電源オン操作が行われるときは、スリープモードに遷移するようにしてもよい。
【００７４】
また、上述実施の形態においては、スリープモードでは撮像部１０９のみが電源が供給されていないが、制御部１０１を除く、その他の回路部の一部または全部への電源供給をも断つようにしてもよい。これにより、さらにスリープモードにおいて消費電力を低減できる。また、このスリープモードで、撮像部１０９には電源を供給し、その他の回路部の一部または全部への電源供給を断つようにしてもよい。
【００７５】
また、上述実施の形態においては、表示素子群１１７に、電源オン表示用のＬＥＤ１１７ａ，１１７ｂの他に、スリープモード表示用のＬＥＤを有するものを示したが、電源オン表示用のＬＥＤ１１７ａ，１１７ｂを、スリープモード表示用のＬＥＤとして兼用するようにしてもよい。この場合、例えば、動画モードで電源オン操作が行われて電源オン状態となるときはＬＥＤ１１７ａを点灯状態とし、動画モードで電源オン操作が行われてスリープモードとなるときはＬＥＤ１１７ａを点灯状態とし、差異を表現すればよい。このようにＬＥＤを兼用することで、実装面積の縮小を図ることができる。
【００７６】
また、上述実施の形態においては、本体部１１０にスリープモード表示用のＬＥＤ１１７ｃを取り付けたものを示したが、このＬＥＤ１１７ｃは表示筐体１３０に取り付けられていてもよい。
【００７７】
また、上述実施の形態においては、表示筐体１３０が本体部１１０に正転収納状態で収納されている状態で、ユーザにより電源オン操作が行われるとき、必ずスリープモードに遷移するものを示したが、ユーザが予め電源オン操作時の挙動を設定しておき、当該挙動設定に応じた状態遷移が行われるようにしてもよい。
【００７８】
図５のフローチャートは、予め電源オン操作時の挙動設定がなされている場合における、制御部１０１の状態遷移に関係した制御手順の一例を示している。この制御手順例では、予め電源オン操作時の挙動として、スリープモードに遷移するか、撮影可能状態に遷移するか、あるいは電源オフ状態に遷移するかの、いずれかが設定される。この設定は、例えば、表示部１３１に挙動設定のためのユーザインタフェース画面を表示して行うことができる。
【００７９】
制御部１０１は、ステップＳＴ２１で電源オン操作があるとき、ステップＳＴ２２の処理に移る。このステップＳＴ２２において、制御部１０１は、自身の初期化処理を行い、ステップＳＴ２３において、撮像部以外の電源をオンとし、その後に、ステップＳ２４の処理に移る。
【００８０】
このステップＳＴ２４において、制御部１０１は、表示筐体１３０が正転収納状態にあるか否かを判定する。正転収納状態にあるとき、制御部１０１は、ステップＳＴ２５において、スリープモードの状態とする。そして、制御部１０１は、ステップＳＴ２６において、ＬＥＤ１１７ｃを点滅させて、ユーザがスリープモード状態にあることを確認可能とする。
【００８１】
次に、制御部１０１は、ステップＳＴ２７において、表示筐体１３０が正転収納状態にあるか否かを判定する。正転収納状態にあるとき、制御部１０１は、ステップＳＴ２５の処理に戻り、スリープモード状態を維持する。一方、正転収納状態にないとき、制御部１０１は、ステップＳＴ２８の処理に移る。このステップＳＴ２８において、制御部１０１は、撮像部１０９の電源をオンとする。そして、制御部１０１は、ステップＳＴ２９において、撮像部１０９の初期化処理を行う。
【００８２】
次に、制御部１０１は、ステップＳＴ３０において、撮影可能なスタンバイ状態とする。そして、制御部１０１は、ステップＳＴ３１において、表示筐体１３０が正転収納状態にあるか否かを判定する。正転収納状態にあるとき、制御部１０１は、ステップＳＴ３２において、撮像部の電源をオフとし、ステップＳＴ２５の処理に戻り、スリープモードの状態とする。一方、正転収納状態にないとき、ステップＳＴ３０の処理に戻り、撮影可能なスタンバイ状態を維持できる。
【００８３】
また、上述のステップＳＴ２４で正転収納状態にないとき、制御部１０１は、ステップＳＴ３３において、電源オン時の挙動設定が何であるかを判定する。挙動設定が「撮影可能状態」であるときは、ステップＳＴ２８の処理に移り、以下上述したと同様の処理により、撮影可能なスタンバイ状態にする。
【００８４】
また、ステップＳＴ３３で挙動設定が「スリープモード」であるときは、ステップＳＴ３４の処理に移る。このステップＳＴ３４において、制御部１０１は、スリープモードの状態とする。そして、制御部１０１は、ステップＳＴ３５において、ＬＥＤ１１７ｃを点滅させて、ユーザがスリープモード状態にあることを確認可能とする。
【００８５】
次に、制御部１０１は、ステップＳＴ３６において、表示筐体１３０が正転収納状態にあるか否かを判定する。正転収納状態にあるとき、制御部１０１は、ステップＳＴ２５の処理に移り、以下上述したと同様の処理を行う。一方、正転収納状態にないとき、制御部１０１は、ステップＳＴ３７の処理に移る。
【００８６】
このステップＳＴ３７において、制御部１０１は、撮影可能状態へ遷移させるためのユーザ操作があるか否かを判定する。ユーザ操作がないとき、制御部１０１は、ステップＳＴ３４の処理に戻り、スリープモード状態を維持する。一方、ユーザ操作があるとき、制御部１０１は、ステップＳＴ２８の処理に移り、以下上述したと同様の処理により、撮影可能なスタンバイ状態にする。
【００８７】
また、上述のステップＳＴ３３で挙動設定が「電源オフ」であるときは、制御部１０１は、ステップＳＴ３８において、電源オフの処理を行う。
【００８８】
図５のフローチャートに示すように、予め電源オン操作時の挙動設定がなされ、その設定に基づいて制御部１０１の制御手順が決定されるものによれば、ユーザの選択の自由度が増し、使い勝手を向上させることができる。
【産業上の利用可能性】
【００８９】
この発明は、ユーザが少ない操作手順で消費電力を抑えたスリープモードに遷移させることができるものであり、カムコーダ、デジタルカメラ等に適用できる。
【図面の簡単な説明】
【００９０】
【図１】この発明の実施の形態としてのカムコーダの外観構成例を示す斜視図である。
【図２】この発明の実施の形態としてのカムコーダの回路構成例を示すブロック図である。
【図３】カムコードの状態遷移を示す図である。
【図４】制御部の状態遷移に関係した制御手順の一例を示すフローチャートである。
【図５】制御部の状態遷移に関係した制御手順の他の例を示すフローチャートである。
【符号の説明】
【００９１】
１００・・・カムコーダ、１０１・・・制御部、１０２，１３２・・・ユーザ操作部、１０２ａ・・・スタート／ストップ釦、１０２ｂ・・・電源釦、１０３・・・電源回路、１０４・・・バッテリ、１０５・・・ＡＣ電源プラグ、１０６，１０７・・・電源スイッチ、１０９・・・撮像部、１１０・・・本体部、１１１・・・撮像レンズ、１１２・・・撮像素子、１１３・・・撮像信号処理回路、１１４・・・記録・再生部、１１５・・・表示制御部、１１６・・・表示筐体回動検知部、１１７・・・表示素子群、１１７ａ〜１１７ｃ・・・ＬＥＤ、１３０・・・表示筐体、１３１・・・表示部、１４０・・・回転接続部
【図１】
2009194673.tif 000003
【図２】
2009194673.tif 000004
【図４】
2009194673.tif 000005
【図５】
2009194673.tif 000006
【図３】
2009194673.tif 000007